(57)【要約】【課題】レンズ種類によらずレンズシフト駆動操作を均一化することが可能なレンズ交換可能な投射型映像表示装置を提供すること。【解決手段】入力された映像信号に基づく映像を投影面に投射表示する投射型映像表示装置において、前記投射型映像表示装置は、レンズシフト駆動手段と、レンズ交換手段と、レンズ交換検出手段と、レンズ質量関連情報取得手段によって取得したレンズ質量に関連する情報に基づいて、レンズシフト駆動手段の駆動速度を補正するレンズ駆動速度補正手段と、を備えることを特徴とする。【選択図】図１
2016045259.tif 000002
【特許請求の範囲】
【請求項１】
入力された映像信号に基づく映像を投影面に投射表示する投射型映像表示装置において、
前記投射型映像表示装置は、レンズシフト駆動手段と、レンズ交換手段と、レンズ交換検出手段と、レンズ質量関連情報取得手段によって取得したレンズ質量に関連する情報に基づいて、レンズシフト駆動手段の駆動速度を補正するレンズ駆動速度補正手段と、を備えることを特徴とする投射型映像表示装置。
【請求項２】
前記レンズ交換検出手段は、レンズ側が備える不揮発メモリからレンズ種別を示すレンズＩＤを読み取ることによって、レンズ交換が行われたか否かを判定することを特徴とする請求項１に記載の投射型映像表示装置。
【請求項３】
前記レンズ質量関連情報取得手段は、レンズ側が備える不揮発メモリからレンズ種別を示すレンズＩＤを読み取り、前記投射型映像表示装置側で前記レンズＩＤに紐づいたレンズ質量関連情報を算出することによって、レンズ質量に関連した情報を取得することを特徴とする請求項１又は請求項２に記載の投射型映像表示装置。
【請求項４】
前記レンズ質量関連情報取得手段は、レンズ側が備える不揮発メモリから、レンズ質量に関連する情報を読み取ることによって取得することを特徴とする請求項１又は請求項２に記載の投射型映像表示装置。
【請求項５】
前記レンズ質量関連情報取得手段は、前記投射型映像表示装置が備える重量センサによって計測値を取得することで、レンズ質量に関連する情報を読み取ることを特徴とする請求項１又は請求項２に記載の投射型映像表示装置。
【発明の詳細な説明】
【技術分野】
【０００１】
本発明は、映像表示装置に関し、特に投射型の映像表示装置に関する。
【背景技術】
【０００２】
従来、レンズシフト駆動手段を備えた投射型映像表示装置において、シフトの駆動方向に応じて、シフト駆動速度を変えるものがあった。
【０００３】
特許文献１では、天吊り設置状態か通常設置状態かの設置姿勢に応じて、重力方向と反重力方向でシフト駆動速度が同じになるように、シフト駆動を制御するプロジェクタが開示されている。
【先行技術文献】
【特許文献】
【０００４】
【特許文献１】特開２０１１−１４４５５８３３号公報
【発明の概要】
【発明が解決しようとする課題】
【０００５】
しかしながら、上述の特許文献に開示された従来技術では、設置姿勢によってシフト駆動速度は一致するが、レンズ交換可能な投射型映像表示装置のことは考慮しておらず、装着したレンズ種類を変えた場合、異なるレンズ間でのシフト駆動速度に差が生じていた。
【０００６】
そこで、本発明の目的は、レンズ種類によらずレンズシフト駆動速度を均一化することを可能にしたレンズ交換可能な投射型映像表示装置を提供することである。
【課題を解決するための手段】
【０００７】
上記目的を達成するために、本発明は、入力された映像信号を基づく映像を投影面に投射表示する投射型映像表示装置において、前記投射型映像表示装置は、レンズシフト駆動手段と、レンズ交換手段と、レンズ交換手段と、レンズ質量関連情報取得手段によって取得したレンズ質量に関連する情報に基づいて、レンズシフト駆動手段の駆動速度を補正するレンズ駆動速度補正手段と、備えることを特徴とする。
【発明の効果】
【０００８】
本発明によれば、レンズ種類によらず、レンズシフト駆動速度を均一化した投射型映像表示装置を提供することができる。
【図面の簡単な説明】
【０００９】
【図１】本発明の全体構成を示すブロック図である。
【図２】実施例１における処理の流れを示すフローチャート図である。
【図３】実施例２における全体構成を示すブロック図である。
【図４】従来例の全体構成を示す図である。
【発明を実施するための形態】
【００１０】
以下に、本発明の好ましい実施の形態を、添付の図面に基づいて詳細に説明する。
【実施例１】
【００１１】
以下、図１と図２を参照して、本発明の第１の実施例による、投射型映像表示装置について説明する。図１は、本発明の実施形態にかかわる全体構成を示すブロック図である。
【００１２】
投射型映像表示装置１０は、映像入力端子１００、映像信号処理回路１０１、レンズや表示パネルを含む映像投射光学系１０２、制御マイコン１０３、グラフィックス描画のためのＯＳＤ生成回路１０４、レンズ情報が書き込まれたレンズＲＯＭ１０５、レンズシフトを駆動させるモーター類からなる光学駆動装置１０６、操作した項目の設定値を記録する不揮発メモリ１０７、投影面までの距離を計測する測距センサ１０８、ユーザーの操作を受け付ける操作検知部１０９から構成される。
【００１３】
投射型映像表示装置１０は、起動時に、図２で示すフローチャートのように、レンズ種類を示すＩＤをレンズＲＯＭ１０５から取得する。制御マイコン１０３は、前回取得したレンズＩＤと比較することで、レンズ交換が行われたか否かを判定する。レンズ交換が実行されたと判定された場合、レンズ質量に関連する情報の取得を行う。レンズ質量に関連する情報の例として、レンズ自体の質量や、レンズ鏡筒の長さによる貫性モーメントがある。
【００１４】
レンズ質量に関連する情報取得の方法として、制御マイコン１０３は、取得したレンズＩＤから、制御マイコン側が内部に備えるレンズ対応テーブルを参照し、レンズ情報を取得する。取得したレンズ情報からレンズシフト駆動制御に用いるための、レンズ質量関連
情報を算出し、レンズシフト駆動の際にこのパラメタを使用する。なお、レンズ質量関連情報の算出には、レンズ情報として、少なくとも、レンズ質量、レンズ鏡筒の長さを使用する。
【００１５】
レンズシフト駆動実行時には、算出されたレンズ質量関連情報を基に、所定の速度で
動作するように光学駆動装置１０６を制御する。
【００１６】
本実施例の制御により、レンズ交換が実行されレンズ種類が変わっても、一定の速度でレンズシフト駆動を実行できるため、ユーザーは違和感なくレンズシフト駆動が行える。
ある一定の駆動パルスをレンズシフト駆動装置に与えた際、どれだけ位置が動いたかという情報から、異なるレンズ間の速度を均一化することも可能だが、それにはエンコーダーが必要となり、コストアップにつながる。
【００１７】
本実施例の方法により、高価なエンコーダーを使用せず、安価なＲＯＭを使用しレンズシフト駆動の速度を均一化できるメリットもある。
【実施例２】
【００１８】
実施例１では、レンズ質量に関連する情報の取得手段として、レンズＩＤに紐づいた演算テーブルを制御マイコンが備えており、レンズＩＤを基に制御マイコン側でレンズ質量に関連する情報を算出したが、あらかじめレンズＲＯＭ１０５の中に、レンズ質量に関連する情報を記録しておいて、制御マイコン１０３が読み出して使用しても良い。この場合、制御マイコン１０３の中での内部演算の処理が減り、より効率が良い。制御マイコン１０３がレンズ質量に関連する情報を取得した後の処理は、実施例１と同様である。
【実施例３】
【００１９】
実施例１と実施例２では、レンズＲＯＭに書かれた情報を基に、レンズ質量関連情報を取得しレンズシフトの駆動制御を行ったが、質量センサにより取り付けられたレンズの重量を計測しても良い。以下、図３を参照して、本発明の第３の実施例による、投射型映像表示装置について説明する。
【００２０】
投射型映像表示装置１０は、映像入力端子１００、映像信号処理回路１０１、レンズや表示パネルを含む映像投射光学系１０２、制御マイコン１０３、グラフィックス描画のためのＯＳＤ生成回路１０４、レンズ情報が書き込まれたレンズＲＯＭ１０５、レンズシフトを駆動させるモーター類からなる光学駆動装置１０６、操作した項目の設定値を記録する不揮発メモリ１０７、投影面までの距離を計測する測距センサ１０８、ユーザーの操作を受け付ける操作検知部１０９、レンズの質量を計測するための質量センサ１１０から構成される。
【００２１】
投射型映像表示装置１０は、起動時に、レンズに接続された質量センサ１１０の値を取得する。質量センサから取得した値を基にレンズシフト駆動制御を行う。
【００２２】
以上、本発明の好ましい実施形態について説明したが、本発明はこれらの実施形態に限定されず、その要旨の範囲内で種々の変形及び変更が可能である。
【符号の説明】
【００２３】
１０   投射型映像表示装置、１００  映像信号入力端子、１０１  映像信号処理回路、
１０２  映像投射光学系、１０３  制御マイコン、１０４  ＯＳＤ生成回路、
１０５  レンズＲＯＭ、１０６  光学駆動装置、１０７  不揮発メモリ、
１０８  測距センサ、１０９  操作検知部
【図１】
2016045259.tif 000003
【図２】
2016045259.tif 000004
【図３】
2016045259.tif 000005
【図４】
2016045259.tif 000006